(57)【特許請求の範囲】
【請求項１】
矩形の外形を有し、撮像部に対向する表面には外周に沿って内側に周設された溝部を有する載置台と、
撮像するための媒体が載置される矩形状の載置平面部およびその外周の四方にて同一方向に折り曲げられた垂下部を有し、前記垂下部が前記載置台の前記溝部に遊嵌され、前記載置平面部が前記溝部によって囲まれた前記載置台の中央平面部に貼付されるシートと、
を備えた撮像装置。
【請求項２】
前記載置台は、前記中央平面部に全面に亘って複数の空気抜き孔が離散して穿設されている、請求項１記載の撮像装置。
【請求項３】
前記載置台は、前記中央平面部が前記溝部より外側の表面よりも前記シートの厚さの分だけ低く形成されている、請求項１記載の撮像装置。
【請求項４】
前記載置台は、前記シートを剥離するときに前記シートの貼付面と反対側の面から棒状の突き部材を挿入して前記シートを前記中央平面部から浮き上がらせるための突き部材挿入孔が前記中央平面部に穿設されている、請求項１記載の撮像装置。
【請求項５】
前記載置台は、隣接する二辺の前記溝部の内側に前記媒体を突き当てて位置決めする突き当て部材が設けられ、前記シートは、前記突き当て部材に対応する位置に切欠き部を有している、請求項１記載の撮像装置。
【請求項６】
前記シートは、前記媒体を載置する側からナイロン平織ゴム引きシート、両面接着テープ、ポリエステルシートおよび再剥離可能両面接着テープによる積層構造を有している、請求項１記載の撮像装置。
【発明の詳細な説明】
【技術分野】
【０００１】
本発明は、撮像装置に関し、特に金融機関の窓口などで帳票などを撮像するのに使用されるスタンド型の撮像装置に関する。
【背景技術】
【０００２】
銀行などの金融機関の窓口では、例えば、帳票や免許証などの媒体を読み取ることができる装置として、スタンド型の撮像装置（ＯＨＲ：Over Head Reader）が広く利用されている（例えば、特許文献１参照）。
【０００３】
このスタンド型の撮像装置は、撮像対象物である媒体を載置台の上に配置し、離れた上部からカメラで撮像する非接触型のスキャナであり、撮像装置で読み取られた画像は、文字認識や認証などの用途に使用される。
【０００４】
このようなスタンド型の撮像装置は、載置台に帳票などの媒体を載せて撮像するが、その載置台に媒体を載せる際に帳票が載置台に張り付いてしまうことを避けるために、表面が鏡面状になっていないシートが載置台に貼付されている。このシートとしては、例えば、ナイロン繊維を平織した布生地が用いられている。これにより、媒体との接触面積が大幅に低減されるため、撮像準備の際には、媒体をシート上で滑らせながら所定の撮像位置まで容易に移動させることができるようになる。
【０００５】
また、シートは、載置台の平坦な表面に貼付されているため、厚さの分だけ載置台の表面から突出した状態で使用される。このため、撮像操作を繰り返すうちに、シート生地を裁断した部分の端面には、衣類などが直接接触したり引っ掛かったりして、シート生地の端面がほつれたり載置台から剥がれてまくれたりすることがある。これに対し、シートの外周に複数の剥がれ防止用部材を設置して、シート生地の端面を保護するようなことがなされている。
【先行技術文献】
【特許文献】
【０００６】
【特許文献１】特開２０１０−１７７８８４号公報
【発明の概要】
【発明が解決しようとする課題】
【０００７】
しかしながら、剥がれ防止用部材は、帳票をシート上の所定位置に設置する際に邪魔になるだけでなく、撮像時には一緒に撮像されるため、撮像の度に画像処理によって撮像した画像データから剥がれ防止用部材の画像データを削除することが行われている。このような画像処理は、帳票画像の取り込み速度を遅らせるだけでなく、剥がれ防止用部材の画像データが削除しきれずに残ってしまうことがある、という問題点があった。
【０００８】
また、剥がれ防止用部材を設置しても、長時間使用しているうちにまたは使用回数が多いと、シート生地が破れたり露出しているシート生地の端面がほつれたり剥がれたりするので、シートの張替が必要となる。しかし、このシートの張替えは、載置台の平坦な表面にて目印のない状態で正確に行う必要があるため、シートを張り付けるときの位置合わせが難しく、専門の保守員でしか行うことができないことから、保守費用が高くなる、という問題点があった。
【０００９】
本発明は、通常使用によるシート生地の端面のほつれを防止し、剥がれ防止用部材の使用をなくすとともに、シートの張替え作業を容易にした撮像装置を提供することを目的とする。
【課題を解決するための手段】
【００１０】
上記目的を達成するために、以下に示すような撮像装置を提供する。撮像装置は、載置台とシートとを備える。載置台は、矩形の外形を有し、撮像部に対向する表面には外周に沿って内側に周設された溝部を有する。シートは、撮像するための媒体が載置される矩形状の載置平面部およびその外周の四方にて同一方向に折り曲げられた垂下部を有し、垂下部が載置台の溝部に遊嵌され、載置平面部が溝部によって囲まれた載置台の中央平面部に貼付される。
【発明の効果】
【００１１】
一態様によれば、シートの外周が折り曲げられた垂下部を、載置台に形成された溝部に挿入した状態で、シートを載置台に貼付することでシートの端面が露出されなくなり、帳票などが接触することで生じるほつれの発生を防止できるという利点がある。
【図面の簡単な説明】
【００１２】
【図１】撮像装置の概略構成例を示す斜視図である。
【図２】載置台の具体例を示す図であって、（Ａ）は、載置台の斜視図、（Ｂ）は、（Ａ）のａ部の部分拡大図である。
【図３】載置台の平面図である。
【図４】シートの具体例を示す図であって、（Ａ）は、シートの斜視図、（Ｂ）は、（Ａ）のｂ部の部分拡大図である。
【図５】シートの積層構造例を示す断面図である。
【図６】シートを載置台に貼付した状態を示す平面図である。
【図７】図６のＸ−Ｘ矢視断面図であって、（Ａ）は、シートを載置台に貼付する前の状態を示し、（Ｂ）は、（Ａ）のｄ部の部分拡大断面図である。
【図８】図６のＸ−Ｘ矢視断面図であって、（Ａ）は、載置台にシートが貼付された状態を示し、（Ｂ）は、（Ａ）のｅ部の部分拡大断面図である。
【図９】突き部材挿入孔の使用の一例を示す図である。
【発明を実施するための形態】
【００１３】
以下、図面を参照して実施の態様を詳細に説明する。
図１は、撮像装置の概略構成例を示す斜視図である。撮像装置１０は、載置台１１、シート１２、支持部１３、撮像部１４および突き当て部材１５を備えている。
【００１４】
載置台１１は、帳票１６のような媒体を撮像するときに、撮像する対象となる媒体を載置するための台であり、矩形の外径を有している。
シート１２は、載置台１１の撮像部１４と対面する上面の表面に貼付され、適度の摩擦および弾力を有する素材で形成された部材である。シート１２が載置台１１の上面にあることにより、オペレータは、帳票１６を滑らせながら所定位置に載置することが容易になる。
【００１５】
支持部１３は、載置台１１の一角に立設された棒状の部材であり、その上部には撮像部１４を支持している。
撮像部１４は、支持部１３の上端から載置台１１の中央上部まで張り出された梁部の先端近傍にて、載置台１１に対向する側に、すなわち、下向きに設けられている。撮像部１４は、例えば、二次元の画像を取得可能なＣＣＤ（Charge-Coupled Device）カメラである。なお、支持部１３から伸びる梁部には、必要に応じて、媒体の撮像時に照らして明るくするための照明装置が設けられる。
【００１６】
突き当て部材１５は、帳票１６の縁部を突き当てて撮像部１４に対する帳票１６の位置決めを行うための部材であり、シート１２の隣接する二辺に沿って、図示の例では、３個ずつ載置台１１に設置されている。
【００１７】
帳票１６は、情報が記入された紙媒体である。帳票１６は、載置台１１に貼付されたシート１２の載置面上に載置される。このとき、オペレータが帳票１６の二辺を突き当て部材１５の内側に当接させることで、帳票１６は、撮像部１４が走査する基準位置であって、かつ、その走査方向またはその方向に直交する方向に向けられた状態に正確に位置決めされることになる。
【００１８】
図２は、載置台の具体例を示す図であって、（Ａ）は、載置台の斜視図、（Ｂ）は、（Ａ）のａ部の部分拡大図である。図３は、載置台の平面図である。
載置台１１は、図３に示されるように、外周部１１０とその内側に配置される中央平面部１１１とを有している。外周部１１０は、図示の例では図の左上の位置に、支持部１３を連結するための支持部用連結部１１２が形成されている。
【００１９】
載置台１１は、また、図２の（Ｂ）に示すとおり、外周部１１０と中央平面部１１１との間にシート差込部１１４を有している。シート差込部１１４は、外周部１１０の内側に外周に沿って周設された溝部である。ここで、載置台１１の中央平面部１１１は、シート１２が貼付される領域であり、その外周に形成されたシート差込部１１４は、シート１２の外周部が差し込まれる部分である。載置台１１の中央平面部１１１は、シート１２が貼付される領域であるため、外周部１１０の上面よりもシート１２の厚さの分だけ低く形成され、中央平面部１１１にシート１２が貼付されたときに、外周部１１０およびシート１２の上面が面一となるようにしている。
【００２０】
載置台１１は、さらに、載置台１１の中央平面部１１１に空気抜き孔１１５および突き部材挿入孔１１６を有している。空気抜き孔１１５は、中央平面部１１１の全面に亘り離散して複数穿設されている。空気抜き孔１１５は、載置台１１の中央平面部１１１にシート１２を貼付するときに、それらの間に生じる空気溜まりから空気を載置台１１の下面側に抜くための貫通孔である。一方、突き部材挿入孔１１６は、中央平面部１１１の四隅に近い位置に穿設されている。突き部材挿入孔１１６は、図示の例では、中央平面部１１１の右下の一箇所に形成されているが、複数箇所に設けられていてもよい。この突き部材挿入孔１１６は、シート１２を中央平面部１１１から剥離するときに載置台１１の下面側から棒状の突き部材を挿入してシート１２を中央平面部１１１から浮き上がらせるためのものである。
【００２１】
載置台１１は、また、中央平面部１１１の隣接する二辺、図示の例では、中央平面部１１１の上辺および左辺に突き当て部材設置部１１７が設けられている。この突き当て部材設置部１１７は、突き当て部材１５が設置される領域であり、突き当て部材１５は、図示しない突起部が突き当て部材設置部１１７に穿設された固定孔１１８に嵌合されることによって固定される。
【００２２】
以上の外周部１１０、中央平面部１１１、支持部用連結部１１２、シート差込部１１４、空気抜き孔１１５、突き部材挿入孔１１６、突き当て部材設置部１１７および固定孔１１８を含む載置台１１は、例えば、アルミニウムダイカストによって一体に形成される。
【００２３】
図４は、シートの具体例を示す図であって、（Ａ）は、シートの斜視図、（Ｂ）は、（Ａ）のｂ部の部分拡大図である。図５は、シートの積層構造例を示す断面図である。
シート１２は、図４の（Ａ）および（Ｂ）に示すとおり、載置台１１の中央平面部１１１に貼付される中央の載置平面部１２０と、その外周の四方にて同一方向に、図では、下方に直角に折り曲げられた垂下部１２１とを有している。シート１２は、また、載置台１１の中央平面部１１１に貼付されたときに、突き当て部材１５と干渉しないように、突き当て部材１５に対応する位置に切欠き部１２２を有している。
【００２４】
シート１２は、複数の素材による積層構造を有している。図５に示した例では、シート１２は、撮像部１４と対面する側、言い換えると媒体を載置する側から順に、ナイロン平織ゴム引きシート１２３、両面粘着テープ１２４、ポリエステルシート１２５および再剥離可能両面粘着テープ１２６による積層構造となっている。
【００２５】
ナイロン平織ゴム引きシート１２３は、ナイロン繊維を平織した生地の裏面にゴムを貼り合わせたシートであり、表面にナイロン繊維が露出されていて、帳票１６との接触の際に滑りがよいようにされている。このナイロン平織ゴム引きシート１２３は、載置台１１の中央平面部１１１に直接接着される再剥離可能両面粘着テープ１２６との接着性を良好にするために、間に両面粘着テープ１２４およびポリエステルシート１２５が介挿されている。
【００２６】
なお、再剥離可能両面粘着テープ１２６は、シート１２の裏面側の全面に接着されているが、垂下部１２１をシート差込部１１４に挿入する際に、途中でシート差込部１１４以外の部分に不用意に付着してしまうことを避けるために、垂下部１２１の部分には必ずしも設ける必要はない。また、図示の積層構造は、シート１２を形成する布複合材の一例であって、図示した以外の素材で構成されていてもよい。
【００２７】
図６は、シートを載置台に貼付した状態を示す平面図である。図７は、図６のＸ−Ｘ矢視断面図であって、（Ａ）は、シートを載置台に貼付する前の状態を示し、（Ｂ）は、（Ａ）のｄ部の部分拡大断面図である。図８は、図６のＸ−Ｘ矢視断面図であって、（Ａ）は、載置台にシートが貼付された状態を示し、（Ｂ）は、（Ａ）のｅ部の部分拡大断面図である。
【００２８】
シート１２を載置台１１の中央平面部１１１に貼付するときには、シート１２の垂下部１２１をシート差込部１１４に合わせて、そのまま垂下部１２１をシート差込部１１４に落とし込み、シートの載置平面部１２０を上から全面に亘ってこすり付けるようにする。ここで、シート１２は、四方がそれぞれ直角に折り曲げられて、薄いシート１２に腰が付けられた状態になっているため、垂下部１２１は、シート差込部１１４に差し込まれるときに外力によって簡単には曲げることができない。これにより、垂下部１２１のシート差込部１１４への位置合わせは、正確かつ容易に行うことができるようになる。
【００２９】
シート１２の垂下部１２１がシート差込部１１４に差し込まれたとき、図８の（Ｂ）に示すとおり、垂下部１２１は、シート差込部１１４に遊嵌されている。すなわち、シート差込部１１４は、その深さが垂下部１２１の垂下方向の高さよりも深く、垂下部１２１が外周壁１１４ａより若干内側にあり、かつ、内周壁１１４ｂよりも十分に外側にある。このため、シート１２は、その垂下部１２１をシート差込部１１４に差し込むとき、垂下部１２１が多少外側に広がっていても、垂下部１２１の外周面をシート差込部１１４の外周壁１１４ａに合わせるだけで、シート１２を容易にかつ正確に位置決めできる。その状態でシート１２の垂下部１２１を押し込むと、垂下部１２１は、シート差込部１１４の外周壁１１４ａを摺動しながらシート差込部１１４に挿入されることになる。また、シート１２は、シートの切欠き部１２２を載置台１１の突き当て部材１５に一致させることで、正確に向きを合わせることができる。
【００３０】
載置台１１は、その中央平面部１１１がシート差込部１１４より外側の外周部１１０の表面よりもシート１２の厚さの分だけ低く形成されている。これにより、載置台１１の中央平面部１１１にシート１２を貼付した後、シート１２の表面と外周部１１０の表面とが同じ高さとなる。このため、オペレータが帳票１６を動かす際に、帳票１６がシート１２に引っ掛かるおそれが減少する。
【００３１】
このように、シート１２の端部である垂下部１２１を、シート差込部１１４に遊嵌したことにより、シート１２の端面がシート差込部１１４内に向いていて帳票１６などが直接接触することがない。したがって、シート１２の端面は、ほつれることから完全に防止することができる。また、同様に、シート１２が剥がれてしまうことも防止できる。シート１２の剥がれを防止できることに伴い、剥がれ防止用部材を載置台１１に設置することを要しない。
【００３２】
シート１２は、撮像装置１０を長時間使用しても、端面からほつれたりすることはないが、硬くて尖ったものが当たったり、刃物が触れたりして表面が切れてしまうことにより、ナイロン繊維が毛羽立ったりすることがある。このような場合は、シート１２の交換が必要になる。以下では、シート１２の交換に先立って、シート１２を載置台１１から引き剥がす手順について説明する。
【００３３】
図９は、突き部材挿入孔の使用の一例を示す図である。載置台１１に貼付されたシート１２を交換する際、まず、シート１２を載置台１１から引き剥がすことが必要になる。このとき、載置台１１の中央平面部１１１に形成された突き部材挿入孔１１６が使用される。すなわち、載置台１１の下面側から、突き部材挿入孔１１６に突き部材が挿入される。図示の例では、棒状の突き部材として、鉛筆など身近に存在する筆記具３００を例示している。突き部材挿入孔１１６に突き部材とする筆記具３００が挿入されることにより、シート１２は、その再剥離可能両面粘着テープ１２６の側の面に当たって押し上げられることになる。突き部材挿入孔１１６は、シート差込部１１４に近い位置にあるため、シート差込部１１４の側からシート１２が剥離してくる。シート１２が、突き部材とする筆記具３００によってさらに押し上げられると、シート１２の垂下部１２１の一部がシート差込部１１４から抜け出てくる。次に、このシート差込部１１４から抜け出てきたシート１２の垂下部１２１を引き上げることによって、シート１２の再剥離可能両面粘着テープ１２６が載置台１１の中央平面部１１１から徐々に剥離して行き、最終的には、シートを載置台より完全に引き剥がすことができるようになる。
【００３４】
これにより、シート１２の引き剥がしおよび上記の貼り付けが専門の保守員に因らなくても可能になるので、一般のオペレータでも、シート１２の張替作業をすることができるようになり、メンテナンス費用を低減することができる。
【００３５】
なお、筆記具３００は、突き部材の一例であり、突き部材挿入孔１１６を貫通できるものであればその他のものを突き部材として用いてもよい。
突き部材が突き部材挿入孔１１６に挿入されることにより、載置台１１に貼付されたシート１２が浮き上がるため、オペレータは、シート１２の着脱がしやすく利便性が良くなる。
【００３６】
このようにして、撮像装置１０は、帳票撮像の作業効率の向上およびメンテナンス費用を低減できる。
以上、本発明の撮像装置を図示の実施の形態に基づいて説明したが、これらに限定されるものではなく、各部の構成は同様の機能を有する任意の構成のものに置き換えることができる。また、他の任意の構成物が付加されてもよい。
【符号の説明】
【００３７】
１０  撮像装置
１１  載置台
１２  シート
１３  支持部
１４  撮像部
１５  突き当て部材
１６  帳票
１１０  外周部
１１１  中央平面部
１１２  支持部用連結部
１１４  シート差込部
１１４ａ  外周壁
１１４ｂ  内周壁
１１５  空気抜き孔
１１６  突き部材挿入孔
１１７  突き当て部材設置部
１１８  固定孔
１２０  載置平面部
１２１  垂下部
１２２  切欠き部
１２３  ナイロン平織ゴム引きシート
１２４  両面粘着テープ
１２５  ポリエステルシート
１２６  再剥離可能両面粘着テープ
３００  筆記具
【図１】
0006383710.tif 000002
【図２】
0006383710.tif 000003
【図３】
0006383710.tif 000004
【図４】
0006383710.tif 000005
【図５】
0006383710.tif 000006
【図６】
0006383710.tif 000007
【図７】
0006383710.tif 000008
【図８】
0006383710.tif 000009
【図９】
0006383710.tif 000010